(57)【要約】【課題】  表示部の視認性および操作部の操作性をともに向上させることが可能な折り畳み式携帯装置を提供する。【解決手段】  操作部１１を有する操作部筐体１と表示部２３を有する表示部筐体２とが装置本体の角部に設けられた２軸式軸部３により結合している。角部で連結されているために、表示部筐体を操作部筐体に対して、通常の折り畳み式携帯電話のように長手方向に開くことができるだけでなく、本を開くように短手方向に開くことも可能となる。【選択図】      図１
2005038217.tif 000002
【特許請求の範囲】
【請求項１】
少なくとも操作部を有する第１筐体と少なくとも表示部を有する第２筐体とが折り畳み可能に結合された折り畳み式携帯装置において、
前記第１筐体および前記第２筐体を少なくとも２つの方向に回転可能に連結する軸部を前記第１筐体および前記第２筐体の角部に設けたことを特徴とする折り畳み式携帯装置。
【請求項２】
前記軸部は、
前記第１筐体に対して前記第２筐体を装置本体の長手方向に開閉可能に連結する長手方向回転軸と、
前記第１筐体に対して前記第２筐体を前記装置本体の短手方向に開閉可能に連結する短手方向回転軸と、
を有することを特徴とする請求項１記載の折り畳み式携帯装置。
【請求項３】
前記軸部は、前記第１筐体に対して前記第２筐体とともに前記長手方向に回転し、前記第１筐体に対して前記第２筐体を前記短手方向に回転させることを特徴とする請求項１または２に記載の折り畳み式携帯装置。
【発明の詳細な説明】
【技術分野】
【０００１】
本発明は携帯電話機や携帯情報端末などに代表される携帯装置に係り、特に折り畳み式の携帯装置に関する。
【背景技術】
【０００２】
近年の携帯電話機の多くは、単なる通話機能だけでなく、インターネットブラウザ、電子メール、スケジュール管理などの種々の機能を有しており、いわば携帯情報端末として進化を続けている。その結果、ディスプレイには文字や数字だけでなく画像も表示され、ディスプレイの大型化は不可避の課題となっている。
【０００３】
２つの筐体を折り畳み可能に結合した折り畳み構造は、携帯装置に要請される小型軽量化とディスプレイの大型化というトレードオフに対する１つの解決策である。折り畳み式携帯電話機の多くは、通話時に２つの筐体を開いてディスプレイとキーとを露出させる構造を有しているが、最近では、表示部だけを回転させることができる２軸ヒンジを用いた折り畳み構造が提案されている。たとえば、特開２０００−１９６７２０号公報、特開２００１−１６９１６６号公報、特開２００２−１１８６３３号公報を参照されたい。このような２軸ヒンジ構造では、表示部のみを横向きにできるために、画像などの横長で表示される情報に対して視認性を向上させることができる。
【０００４】
【特許文献１】特開２０００−１９６７２０号公報（図２）
【特許文献２】特開２００１−１６９１６６号公報（図１）
【特許文献３】特開２００２−１１８６３３号公報（図２）。
【発明の開示】
【発明が解決しようとする課題】
【０００５】
しかしながら、表示部を横向きにした場合であっても、操作部は縦向きのままであるために操作がやりにくい場合があり、使いやすい携帯装置とはいえなかった。
【０００６】
本発明の目的は、表示部の視認性および操作部の操作性をともに向上させることが可能な新たな折り畳み式携帯装置を提供することにある。
【課題を解決するための手段】
【０００７】
本発明による折り畳み式携帯装置は、少なくとも操作部を有する第１筐体と少なくとも表示部を有する第２筐体とが装置本体の角部で少なくとも２つの軸により結合していることを特徴とする。角部で連結されているために、表示部を有する第２筐体を第１筐体に対して、通常の折り畳み式携帯電話のように長手方向に開くことができるだけでなく、本を開くように短手方向に開くことも可能となる。
【発明の効果】
【０００８】
２つの筐体を長手方向および短手方向に開くことができるために、操作部および表示部をともに縦長あるいは横長の方向に配置することが可能となり、表示部の視認性および操作部の操作性をともに向上させることができる。
【発明を実施するための最良の形態】
【０００９】
図１は本発明の一実施形態による折り畳み式携帯装置の分解斜視図である。本実施形態による折り畳み式携帯装置は操作部筐体１および表示部筐体２が角部において２軸構成の軸部３により結合されている。
【００１０】
操作部筐体１は扁平な直方体状の形状を有し、その主表面にはテンキーやその他キーが配列された操作部１１が設けられ、また主表面の一方の端部には送話器となるマイクロフォン１２が設けられている。さらに、操作部筐体１の主表面の他方の端部には短手方向に伸びた結合部１３が設けられ、その上面は円筒側面状に丸く形成されている。結合部１３内には短手方向に伸びた軸受け部１４が設けられ、軸部３と結合することで表示部筐体２の長手方向の回転が可能となる。
【００１１】
表示部筐体２も操作部筐体１と同様に扁平な直方体状の形状を有し、その主表面（図１では下向きで隠れている）には、液晶ディスプレイなどの表示部２３が設けられ、また主表面の一方の端部には受話器となるスピーカ２４が設けられている。操作部は操作部筐体１に設けられているために、表示部筐体２の主表面のほぼ全面に表示部２を設けることができる。表示部筐体２の他端面の一方の側には長手方向に伸びた軸受け部２１が設けられ、軸部３と結合することで表示部筐体２の短手方向の回転が可能となる。なお、表示部筐体２の軸受け部２１が設けられた側面２２は、短手方向の回転が可能となるように円筒側面状に形成されている。
【００１２】
軸部３は半円筒形状に近いブロックであり、操作部筐体１と表示部筐体２との角部（ここでは右上角部）に配置され、両筐体を結合している。軸部３は、フラット前面３１、円筒側面状に形成された背面３２、上面、下面および左右の側面を有する。フラット前面３１には表示部筐体２の軸受け部２１と結合する短手方向回転用軸部３３が設けられ、一方の側面には結合部１３の軸受け部１４と結合する長手方向回転軸部３４が設けられている。
【００１３】
言い換えれば、軸部３は、短手方向回転用の軸（軸部３３）と長手方向回転用の軸（軸部３４）とを有する直交２軸構成を有し、この軸部３を介して操作部筐体１と表示部筐体２とが角部で短手方向および長手方向にそれぞれ回転可能に結合されている。
【００１４】
図２は本実施形態による折り畳み式携帯装置の軸部近傍の概略的平面図であり、図３はそのＩ−Ｉ線断面図、図４はそのＩＩ−ＩＩ線断面図である。
【００１５】
図２および図４に示すように、軸部３の短手方向回転用軸部３３には長手方向に伸びた回転軸３３ａが設けられ、表示部筐体２の軸受け部２１に回転可能に挿入結合されている。また、図２および図３に示すように、軸部３の長手方向回転軸部３４には短手方向に伸びた回転軸３４ａが設けられ、操作部筐体１の結合部１３の軸受け部１４に回転可能に挿入結合されている。なお、図面を複雑にしないために抜け止め機構などの図示は省略されているが、種々の方法を採用できることはいうまでもない。
【００１６】
図５は本実施形態による折り畳み式携帯装置が閉じた状態を示す斜視図、図６は本実施形態による折り畳み式携帯装置が長手方向に開いた状態を示す斜視図、および、図７は本実施形態による折り畳み式携帯装置が短手方向に開いた状態を示す斜視図である。
【００１７】
図５に示す閉じた状態では、操作部筐体１の主表面と表示部筐体２の主表面とが内側に閉じられているために、使用しないで携帯する場合に適している。
【００１８】
図６に示すように、表示部筐体２は、軸部３の長手方向回転軸部３４を中心に矢印１０１方向（長手方向）に開くことができる。これにより、マイクロフォン１２とスピーカ２４とが通話に適した距離に開くために、手のひらで本装置を握り通常の携帯電話のように通話が可能となる。すなわち、図６に示す長手方向に開いた状態は、通常の無線通話に適した形態である。
【００１９】
図７に示すように、表示部筐体２は、軸部３の短手方向回転軸部３３を中心に矢印１０２方向（短手方向）に開くことができる。これにより表示部２３を横長方向で使用でき、長文の情報を読む場合に適している。その際、操作部１１も表示部２３と同じ横長方向になるために、ノートパソコンのような使用形態となり、両手で操作部１１を操作できるために、操作性が大幅に向上する。
【００２０】
なお、表示部筐体２が長手方向回転軸部３４を中心に矢印１０１方向（長手方向）に開いたか、短手方向回転軸部３３を中心に矢印１０２方向（短手方向）に開いたかを検出する開方向検出手段を設けることで、表示部の画像表示方向を制御することができる。
【００２１】
図８は、本発明の他の実施形態による折り畳み式携帯装置が長手方向に開いた状態を示す斜視図である。本実施形態では、操作部筐体１の主表面上の操作部１１の一部にデジタルカメラ１５が実装されている。したがって、図８のように長手方向に開いても、また図７のように短手方向に開いても、カメラ１５によってユーザの顔を撮像することができ、横長あるいは縦長表示のテレビ電話として使用することができる。
【００２２】
なお、上記実施形態では軸部３が折り畳み式携帯装置の右側角部に設けられているが、本発明では軸部が角部に設けられていればよく、反対側の左側角部であっても同様の効果が得られることはいうまでもない。
【図面の簡単な説明】
【００２３】
【図１】本発明の一実施形態による折り畳み式携帯装置の分解斜視図である。
【図２】本実施形態による折り畳み式携帯装置の軸部近傍の概略的平面図である。
【図３】図２のＩ−Ｉ線断面図である。
【図４】図２のＩＩ−ＩＩ線断面図である。
【図５】本実施形態による折り畳み式携帯装置が閉じた状態を示す斜視図である。
【図６】本実施形態による折り畳み式携帯装置が長手方向に開いた状態を示す斜視図である。
【図７】本実施形態による折り畳み式携帯装置が短手方向に開いた状態を示す斜視図である。
【図８】本発明の他の実施形態による折り畳み式携帯装置が長手方向に開いた状態を示す斜視図である。
【符号の説明】
【００２４】
１  操作部筐体
２  表示部筐体
３  軸部
１１  操作部
１２  送話器（マクロフォン）
１３  結合部
１４  軸受け部
１５  デジタルカメラ
２１  軸受け部
２２  側面
２３  表示部
２４  受話器（スピーカ）
３１  フラット前面
３２  背面
３３  短手方向回転軸部
３４  長手方向回転軸部
【図１】
2005038217.tif 000003
【図２】
2005038217.tif 000004
【図３】
2005038217.tif 000005
【図４】
2005038217.tif 000006
【図５】
2005038217.tif 000007
【図６】
2005038217.tif 000008
【図７】
2005038217.tif 000009
【図８】
2005038217.tif 000010